(57)【要約】      （修正有）【課題】本発明はコンパクトさと携帯性に優れると共に、ボトルの交換が可能であり、且つ効率良く飲料を冷却できるボトル飲料サーバーを提供すること。【解決手段】ボトルに貯留された飲料を冷却して注出するためのボトル飲料サーバーＡであって、ボトルの口部に取り付けられたアダプタと、ボトルが収容された有底円筒状の保冷庫４と、保冷庫４の底部に取り付けられ保冷庫４を冷却するためのペルチェ素子５と、ペルチェ素子５の保冷庫４側とは反対側に取り付けられた冷却管６と、冷却管６に冷却水Ｗを流通させるためのポンプ７と、冷却水Ｗを冷却するための冷却装置８と、保冷庫４、ペルチェ素子５及び冷却管６の一部が収容された筺体と、筐体に取り付けられた注出ノズルを備え、アダプタに設けられた飲料用貫通孔を介して、飲料がボトル内から注出ノズルに流通可能となっており、ポンプ７及び冷却装置８が、筐体の外部に配置される。【選択図】図５
2019094120.tif 000002
【特許請求の範囲】
【請求項１】
ボトルに貯留された飲料を冷却して注出するためのボトル飲料サーバーであって、
前記ボトルの口部に取り付けられたアダプタと、
前記ボトルが収容された有底円筒状の保冷庫と、
前記保冷庫の底部に取り付けられ前記保冷庫を冷却するためのペルチェ素子と、
該ペルチェ素子の前記保冷庫側とは反対側に取り付けられた冷却管と、
該冷却管に冷却水を流通させるためのポンプと、
前記冷却水を冷却するための冷却装置と、
前記保冷庫、前記ペルチェ素子及び前記冷却管の一部が収容された筺体と、
該筐体に取り付けられた注出ノズルと、
を備え、
前記アダプタが、前記筐体に取付固定されており、
前記アダプタに設けられた飲料用貫通孔を介して、前記飲料がボトル内から前記注出ノズルに流通可能となっており、
前記ポンプ及び冷却装置が、前記筐体の外部に配置されているボトル飲料サーバー。
【請求項２】
前記保冷庫の側部が熱伝導率２００Ｗ／ｍＫ以上の金属からなる請求項１記載のボトル飲料サーバー。
【請求項３】
前記保冷庫が、前記筐体に設けられた支持部に支持されることにより、水平から２０〜２５°傾斜するように配置されており、
前記支持部が熱伝導率０．２３Ｗ／ｍＫ以下の材料からなる請求項１又は２記載のボトル飲料サーバー。
【請求項４】
前記筐体には、導入口と、排出口と、前記導入口から前記筐体の内部に空気を導入し、且つ前記排出口から空気を排出させるためのファンと、が設けられている請求項１〜３のいずれか１項に記載のボトル飲料サーバー。
【請求項５】
前記アダプタには炭酸ガスが流通するガス供給管が更に取り付けられており、
前記アダプタに設けられたガス用貫通孔を介して、前記炭酸ガスが前記ガス供給管から前記ボトル内に流通可能となっている請求項１〜４いずれか１項に記載のボトル飲料サーバー。
【請求項６】
前記アダプタが、
前記口部に螺合された第１アダプタと、
該第１アダプタに取り付けられた第２アダプタと、
からなり、
前記第２アダプタが前記筐体に留め具を介して取付固定され、
前記第２アダプタには前記飲料用貫通孔が設けられており、
前記第１アダプタと前記第２アダプタとが互いに着脱自在となっている請求項１〜５のいずれか１項に記載のボトル飲料サーバー。
【請求項７】
前記ポンプ及び前記冷却装置が、ビールサーバーに収容されている請求項１〜６のいずれか１項に記載のボトル飲料サーバー。
【請求項８】
前記ビールサーバーが、
ビールが流通するビール通路と、
ビール通路に連通するビール注出ノズルと、
を備え、
前記ビール通路が、前記冷却装置により冷却されるものである請求項７記載のボトル飲料サーバー。
【発明の詳細な説明】
【技術分野】
【０００１】
本発明はボトル飲料サーバーに関し、更に詳しくは筐体の外部の冷却装置を利用して飲料を冷却できるボトル飲料サーバーに関する。
【背景技術】
【０００２】
各種の飲料を提供するために、いわゆる飲料サーバーが広く用いられている。
このような飲料サーバーは例えば、イベントやキャンペーンにおいてボトルに貯留された飲料を提供する際に、屋外や、店内のカウンター上に設置されて用いられる。
この用途では、適宜ボトルの交換を行い、飲料の提供が必要なくなると飲料サーバーは撤去される。
そのため、飲料サーバーには、コンパクトさと携帯性に加えて更にボトルを容易に交換できる機能を兼ね備えることが要求される。
【０００３】
これらの要請に応えるため、冷却容器にペルチェ素子を取り付けることで、缶入りの飲料を冷却する飲料冷却装置が知られている（特許文献１参照）。
また、ペルチェ素子の放熱側を空冷又は水冷することにより、冷却機構を制御して飲料を求める温度へと冷却する機能を有する飲料冷却装置が知られている（特許文献２参照）。
さらに、ペットボトルを取り付け、その中の飲料を注出する飲料サーバーが知られている（例えば、特許文献３及び４参照）。
【先行技術文献】
【特許文献】
【０００４】
【特許文献１】特開２００２―１６０８００号公報
【特許文献２】特開２００２−１４７８８９号公報
【特許文献３】特許第５５７７０６８号公報
【特許文献４】特開２０１２−６２１０７号公報
【発明の概要】
【発明が解決しようとする課題】
【０００５】
ところが、一般にペルチェ素子は放熱側と冷却側とで一定の温度差となるように冷却するものであるため、特許文献１の飲料冷却装置は、高温な環境下では、効率良く飲料を冷却することが困難である。
【０００６】
特許文献２の飲料冷却装置は、同一の装置内に水冷及び空冷機構を有するため装置全体が大型となり、十分な携帯性を有するとは言い難い。
【０００７】
特許文献３及び４のボトル飲料サーバーは、そもそもボトル飲料を冷却するための機構を備えていない。
すなわち、高温な環境での使用や長時間の使用により、ボトル内の飲料は外気温と同等の温度となり、飲用に適さなくなる場合がある。
【０００８】
本発明は、上述の技術背景をもとに開発されたものである。
すなわち、本発明はコンパクトさと携帯性に優れると共に、ボトルの交換が可能であり、且つ効率良く飲料を冷却できるボトル飲料サーバーを提供することを目的とする。
【課題を解決するための手段】
【０００９】
本発明者は鋭意検討の結果、ペルチェ素子の保冷庫側とは反対側に冷却管を取り付け、該冷却管に冷却水を流通させるためのポンプ及び冷却水を冷却するための冷却装置を敢えて筐体の外部に配置することにより、上記課題を解決できることを見出した。本発明はこの知見に基づく。
【００１０】
本発明は（１）、ボトルに貯留された飲料を冷却して注出するためのボトル飲料サーバーであって、ボトルの口部に取り付けられたアダプタと、ボトルが収容された有底円筒状の保冷庫と、保冷庫の底部に取り付けられ保冷庫を冷却するためのペルチェ素子と、ペルチェ素子の保冷庫側とは反対側に取り付けられた冷却管と、冷却管に冷却水を流通させるためのポンプと、冷却水を冷却するための冷却装置と、保冷庫、ペルチェ素子及び冷却管の一部が収容された筺体と、筐体に取り付けられた注出ノズルを備え、アダプタが、筐体に取付固定されており、アダプタに設けられた飲料用貫通孔を介して、飲料がボトル内から注出ノズルに流通可能となっており、ポンプ及び冷却装置が、筐体の外部に配置されているボトル飲料サーバーに存する。
【００１１】
本発明は（２）、保冷庫の側部が熱伝導率２００Ｗ／ｍＫ以上の金属からなる上記（１）記載のボトル飲料サーバーに存する。
【００１２】
本発明は（３）、保冷庫が、筐体に設けられた支持部に支持されることにより、水平から２０〜２５°傾斜するように配置されており、支持部が熱伝導率０．２３Ｗ／ｍＫ以下の材料からなる上記（１）又は（２）記載のボトル飲料サーバーに存する。
【００１３】
本発明は（４）、筐体には、導入口と、排出口と、導入口から筐体の内部に空気を導入し、且つ排出口から空気を排出させるためのファンと、が設けられている上記（１）〜（３）のいずれか１つに記載のボトル飲料サーバーに存する。
【００１４】
本発明は（５）、アダプタには炭酸ガスが流通するガス供給管が更に取り付けられており、アダプタに設けられたガス用貫通孔を介して、炭酸ガスがガス供給管からボトル内に流通可能となっている上記（１）〜（４）のいずれか１つに記載のボトル飲料サーバーに存する。
【００１５】
本発明は（６）、アダプタが、口部に螺合された第１アダプタと、第１アダプタに取り付けられた第２アダプタと、からなり、第２アダプタが筐体に留め具を介して取付固定され、第２アダプタには飲料用貫通孔が設けられており、第１アダプタと第２アダプタとが互いに着脱自在となっている上記（１）〜（５）のいずれか１つに記載のボトル飲料サーバーに存する。
【００１６】
本発明は（７）、ポンプ及び冷却装置が、ビールサーバーに収容されている上記（１）〜（６）のいずれか１つに記載のボトル飲料サーバーに存する。
【００１７】
本発明は（８）、ビールサーバーが、ビールが流通するビール通路と、ビール通路に連通するビール注出ノズルと、を備え、ビール通路が、冷却装置により冷却されるものである上記（７）記載のボトル飲料サーバーに存する。
【発明の効果】
【００１８】
本発明のボトル飲料サーバーは、ペルチェ素子の保冷庫側とは反対側に冷却管を取り付け、ポンプで冷却管に冷却水を流通させることにより、ペルチェ素子を冷却することができる。これにより、ペルチェ素子を外気温に依存することなく冷却できるので、保冷庫を介して、飲料を効率良く冷却することが可能となる。
したがって、例えば、気温が高い環境下においての利用に適している。
また、本発明のボトル飲料サーバーは、ポンプ及び冷却装置を、筐体の外部に配置することにより、ボトル飲料サーバー自体を小型とすることができる。
これにより、ボトル飲料サーバーは、コンパクトさ及び携帯性に優れるものとなり、不要時には容易に撤去することも可能となる。
さらに、本発明のボトル飲料サーバーは、ボトルを収容可能な保冷庫を有することにより、ボトルの交換を容易に行うことが可能である。
【００１９】
本発明のボトル飲料サーバーは、保冷庫の側部が熱伝導率２００Ｗ／ｍＫ以上の金属からなることにより、冷却水による飲料の冷却が保冷庫全体に対して短時間で行われ、ボトル内の飲料を冷却することが可能となる。
【００２０】
本発明のボトル飲料サーバーは、支持部に支持された保冷庫が水平から２０〜２５°傾斜するように配置されていることにより、飲料がボトル底部の角に集まり、ボトル内の飲料が少なくなった際にも、飲料を注出することができる。
また、支持部が熱伝導率０．２３Ｗ／ｍＫ以下の材料からなることにより、保冷庫が支持部から吸熱することが妨げられ、保冷庫の温度を極力維持することができる。
【００２１】
本発明のボトル飲料サーバーは、筐体に、導入口と、排出口と、ファンと、が設けられていることにより、筐体内の換気が継続的に行われ、筐体内に熱気がこもることを抑制できる。
【００２２】
本発明のボトル飲料サーバーは、アダプタに炭酸ガスが流通するガス供給管が更に取り付けられており、アダプタに設けられたガス用貫通孔を介して、炭酸ガスがガス供給管からボトル内に流通可能となっていることにより、ガス供給管からボトル内に供給された炭酸ガスによりボトル内が加圧されて飲料が押し出され、当該飲料を効率的に注出することができる。
また、飲料が炭酸飲料である場合には、気抜けを抑制することができる。
【００２３】
本発明のボトル飲料サーバーは、アダプタが、第１アダプタと、第２アダプタと、からなり、第１アダプタと第２アダプタとが互いに着脱自在となっていることにより、筐体に固定された第２アダプタに対して、第１アダプタを自由に交換できる。
例えば、用いるボトルの口径が変わった場合であっても、その口径に合わせた第１アダプタに取り換えることができる。
【００２４】
本発明のボトル飲料サーバーは、ビールサーバーに収容されたポンプ及び冷却装置を利用することが可能である。
すなわち、ビールサーバーを有する店舗等においては、これを利用することにより、ボトル飲料サーバー用のポンプ及び冷却装置を別途設置する必要がなく、装置をコンパクトにできる。
【００２５】
本発明のボトル飲料サーバーは、ビール通路を冷却装置により冷却するものであることにより、ビールとボトル内の飲料の冷却を同時に行うことができるので、エネルギー効率が良く、十分に冷却されたビール及び飲料を提供できる。
【図面の簡単な説明】
【００２６】
【図１】図１は、ボトル飲料サーバーの一部縦断面図を示す。
【図２】図２は、ペルチェ素子を冷却する冷却管を収容するヒートシンクを示す図であり、（ａ）は本実施形態にかかる冷却管の配設を示し、（ｂ）は他の実施形態にかかる冷却管の配設を示す。
【図３】図３は、ボトル飲料サーバーの正面図を示す。
【図４】図４は、アダプタの説明図を示す図で有り、（ａ）は第１アダプタの正面図を示し、（ｂ）は、第１アダプタと第２アダプタの取り付けを示す。
【図５】図５は、ボトル飲料サーバーの全体説明図を示す。
【図６】図６は、他の実施形態に係るボトル飲料サーバーの正面図を示す。
【発明を実施するための形態】
【００２７】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２８】
本発明のボトル飲料サーバーＡにおいては、飲料Ｄが貯留されたボトル１が用いられる（図１参照）。
ここで、当該ボトル１としては、特に限定されず既存のものを利用できるが、例えば、略円筒状で一端に開口した口部が設けられたものが採用できる。
また、飲料Ｄは、清涼飲料、炭酸飲料、水等各種のものを提供することが可能である。
【００２９】
図１は、ボトル飲料サーバーＡの一部縦断面図を示す。
ボトル飲料サーバーＡは、ボトル１の口部に取り付けられたアダプタ２と、ボトル１が収容された有底円筒状の保冷庫４と、保冷庫４の底部に取り付けられ保冷庫４を冷却するためのペルチェ素子５と、ペルチェ素子５の保冷庫側とは反対側に取り付けられた冷却管６と、冷却管６に冷却水Ｗを流通させるための図示しないポンプと、冷却水Ｗを冷却するための図示しない冷却装置と、保冷庫４、ペルチェ素子５及び冷却管６の一部が収容された筐体９と、筐体９に取り付けられた注出ノズル３と、を備える。
ボトル飲料サーバーＡにおいては、ボトル１に貯留された飲料が、注出ノズル３から注出されるようになっている。
【００３０】
ボトル飲料サーバーＡにおいて、筐体９は、中空であり、内部を上空間及び下空間に区画する支持板１１が設けられている。
当該支持板１１は、筺体９の前壁部及び一対の側壁部に支持され、筺体９の前壁部側から後壁部側に向かって下方に傾斜するように設けられている。
また、支持板１１と筺体９の後壁部との間にはスペースが設けられており、かかるスペースには、後述する冷却管６及びガス供給管１５が配されるようになっている。
【００３１】
筺体内の上空間においては、保冷庫４が配置されており、該保冷庫４を支持するための支持部１０が設けられている。
まず、支持部１０は、筺体９の側壁部及び上壁部と支持板１１とに支持されており、支持板１１の前後にそれぞれ設けられている。
ここで、支持部１０は、熱伝導率０．２３Ｗ／ｍＫ以下の材料からなることが好ましい。
この場合、保冷庫４が吸熱することが妨げられ、飲料Ｄの温度を維持することが可能となる。
具体的には、かかる材料としては、ポリアセタール、ポリプロピレン等の樹脂が好適に用いられる。
【００３２】
支持部１０は、中央に円柱状の穴部を有する角筒状であり、前後の支持部１０の保冷庫４側（すなわち前側の支持部は後側、後側の支持部は前側）には、保冷庫１０を係合するための切り欠き部が設けられている。
そして、保冷庫４は、前後の支持部１０の切り欠き部にそれぞれ係合されることにより支持される。
【００３３】
このとき、支持部１０に支持される保冷庫４は、支持板１１と同様に、筺体９の前壁部側から後壁部側に向かって下方に傾斜するように配置される。
ここで、保冷庫４は、水平から２０〜２５°傾斜するように支持板上に配置されていることが好ましい。この場合、保冷庫４の内部が見易くなり、作業性が向上する。
また、飲料Ｄがボトル底部の角に集まり、ボトル内の飲料Ｄが少なくなった際にも、飲料Ｄを注出することができる。
【００３４】
保冷庫４は、側部と底部とからなる有底円筒状であり、内部に、飲料Ｄを貯留したボトル１を収容可能となっている。
ボトル飲料サーバーＡにおいては、ボトル１を収容可能な保冷庫４を有することにより、ボトル１の交換を容易に行うことができる。
【００３５】
保冷庫４の側部は、ウレタンや発泡スチロール等の断熱材で覆われている。これにより、ボトル１及びボトル内の飲料Ｄの温度を維持することができる。
一方で、保冷庫４の側部は、熱伝導率２００Ｗ／ｍＫ以上の金属からなることが好ましい。
この場合、後述する冷却水Ｗ及びペルチェ素子５による冷却が効率的に行われ、ボトル内の飲料Ｄを素早く冷却することが可能である。
また、保冷庫４の底部のみが冷却されることなく、ボトル内の飲料Ｄを冷却することができる。
具体的には、かかる金属としては、銅、アルミ等が好適に用いられる。
【００３６】
保冷庫４においては、その底部にペルチェ素子が取り付けられている。
ここで、ペルチェ素子は、異なる種類の金属の接合部に電流を流すと熱移動が生じるペルチェ効果を利用した半導体素子であり、放熱側と吸熱側を有している。
【００３７】
図２は、ペルチェ素子５を冷却する冷却管６を収容するヒートシンク５Ａの説明図を示す。
図２（ａ）は本実施形態にかかる冷却管６の配設を示し、図２（ｂ）は他の実施形態にかかる冷却管６の配設を示す。
ペルチェ素子５は、保冷庫４側に吸熱側が向くように保冷庫４の底部に取り付けられている。
これにより、ペルチェ素子に電流を流すと、ペルチェ素子は、吸熱側の保冷庫４を吸熱し、保冷庫４が冷却されることになる。
そうすると、ペルチェ素子は、放熱側で放熱することになるところ、ペルチェ素子５の放熱側には、冷却水Ｗが流通する冷却管６を収容したヒートシンク５Ａが取り付けられているため、ペルチェ素子を十分に冷却することができる。
これにより、ペルチェ素子５を外気温に依存することなく冷却できるので、保冷庫４を介して、飲料Ｄを効率良く冷却することが可能となる。
ヒートシンク５Ａは、冷却管６を鋳造した部材である。
ヒートシンク５Ａに対する冷却管６の配設は、ペルチェ素子５が冷却できるよう十分に冷却管６が接触面積を有していれば足り、図２（ｂ）に示すような蛇行状の形態でも良い。
【００３８】
図１に戻り、保冷庫４の開口部は、その縁部が上述した支持部１０に当接されており、当該支持部１０に当接されたアダプタ２により封止されている。これにより、保冷庫４は、密閉状態となる。
また、アダプタ２は、支持部１０に当接されることに加え、後述する筐体９の蓋部及びボトル１の口部に取り付けられる。
【００３９】
図３は、ボトル飲料サーバーＡの正面図を示す。
筐体９は、その前壁部に、開閉自在な蓋部が設けられている。
そして、蓋部の前面には注出ノズル３が前方に突出するように取り付けられており、蓋部の裏面にはアダプタ２が取り付けられている。
また、筺体９においては、蓋部を開閉することにより、筐体９の内部に設けられた保冷庫４へボトル１を出し入れすることが可能となっている。
【００４０】
ボトル飲料サーバーＡにおいて、筺体９の蓋部に取り付けられた注出ノズル３は、その後端に、注出ノズル３内部の飲料の流通路と連通するように、飲料管が取り付けられている。
なお、かかる飲料管は、後述する飲料用貫通孔２３を介して、ボトル１内に挿入される。
また、注出ノズル３には、注出ノズル３内部の炭酸ガスの流通路と連通するように、炭酸ガスが流通するガス供給管１５が取り付けられている（図１参照）。
なお、かかるガス供給管１５は、後述するガス用貫通孔２５を介して、ボトル１内に挿入される。
【００４１】
図４（ａ）は第１アダプタ２１の正面図を示し、図４（ｂ）は、第１アダプタ２１と第２アダプタ２２の取り付けを示す説明図を示す。
アダプタ２は、第１アダプタ２１と、第１アダプタ２１に取り付けられる第２アダプタ２２とからなる。
【００４２】
第１アダプタ２１は、円盤状の第１基部２１ａと、該第１基部２１ａの中央に設けられた円柱状の大径穴部２１ｂと、それに連続する小径穴部２１ｃとを有する。
第１アダプタ２１において、小径穴部２１ｃの内側面には、螺旋状の突起が形成されており、ボトル１の口部に螺合可能となっている。
また、小径穴部２１ｃには、上述した飲料管が挿通される。
【００４３】
第２アダプタ２２は、第１アダプタ２１よりも径が大きい円盤状の第２基部２２ａと、該第２基部２２ａの周縁部２２ｄと、該周縁部２２ｄの内側の第２基部２２ａに立設された大リブ２２ｂと、該大リブ２２ｂよりも内側の第２基部２２ａに立設された小リブ２２ｃとを有する。
第２アダプタ２２において、小リブ２２ｃは、第１アダプタ２１を把持するためのものである。
すなわち、第１アダプタ２１は、小リブ２２ｃに把持されることにより第２アダプタ２２に嵌合されるようになっている。
また、大リブ２２ｂは、上述した支持部１０に当接されるようになっている（図１参照）。
また、第２基部２２ａには、取付け穴が設けられており、ネジ等の留め具２４により、取付け穴を介して、筺体９の蓋部に取り付け固定される。
【００４４】
第２アダプタ２２において、小リブ２２ｃの内側の第２基部２２ａには、飲料用貫通孔２３が設けられており、当該飲料用貫通孔２３には上述した飲料管が挿通されている。
すなわち、飲料管は、注出ノズル３に取り付けられ、第２アダプタ２２の飲料用貫通孔２３及び第１アダプタの小径穴部２１ｃを介して、ボトル１の底面付近まで挿入されている。
【００４５】
また第２アダプタ２２において、小リブ２２ｃの内側の第２基部２２ａには、ガス用貫通孔２５が設けられており、当該ガス用貫通孔２５は、上述したガス供給管１５と連通している。
すなわち、ガス供給管１５から流出される炭酸ガスは、注出ノズル３の取付基部に設けられた流通路、第２アダプタ２２のガス用貫通孔２５及び第１アダプタの小径穴部２１ｃを介して、ボトル１内部に流入される。
なお、炭酸ガスは図示しないボンベ等から供給される。
また、ガス供給管２５には逆止弁が設けられており、ボトル１を出し入れする際に、飲料Ｄがこぼれ出ることを阻止する。
【００４６】
ボトル飲料サーバーＡにおいては、炭酸ガスを供給することにより、飲料Ｄを、飲料管を介して、注出ノズル３から効率的に注出することが可能である。
さらに、ボトル内の飲料Ｄが炭酸飲料である場合に気抜けを抑制することが可能である。
なお、ボトル飲料サーバーＡにおいては、ボトル内の飲料Ｄが外部へ注出され、ボトル内の気圧に変化が生じた場合にも、ガス供給管１５からボトル内へ炭酸ガスが供給される。
【００４７】
第１アダプタ２１と第２アダプタ２２とは互いに着脱自在となっている。
このため、筐体９の蓋部に固定された第２アダプタ２２に対して、第１アダプタ２１を自由に交換できる。
例えば、用いるボトル１の口径が変わった場合であっても、その口径に合わせた第１アダプタに取り換えることができる。
【００４８】
図１に戻り、筺体内の下空間においては、その下壁部にファン１４が設けられ、該ファン１４により、筐体９の下壁部に設けられた導入口１２から外気を吸い込み、筐体９の側壁部に設けられた排出口１３から排出するようになっている。
このことにより筐体内に熱気がこもることを抑制し、より効率的に保冷庫４を冷却することができる。
【００４９】
ポンプ７及び冷却装置８は筐体９の外部に配置されている。
図５は、ボトル飲料サーバーＡの全体説明図を示す。
ボトル飲料サーバーＡにおいて、冷却管６には、冷却水Ｗを冷却管内に流通させるためのポンプ７が取り付けられている。
また、冷却装置８は、冷却水Ｗが貯留された水槽８ａと、冷却水Ｗを冷却するための冷媒管８ｂと、冷媒管８ｂに冷媒を流通させるコンプレッサ（図示しない）と、冷媒を放熱させる放熱器（図示しない）とを備えている。
そして、冷却装置８の水槽８ａには、冷却管６の両端が取り付けられており、水槽８ａと冷却管６との間で、冷却水Ｗが循環するようになっている。
【００５０】
ポンプ７及び冷却装置８は、ビールサーバーＢに収容されている。
したがって、ビールサーバーＢを有する店舗等においては、これを利用することでボトル飲料サーバー用のポンプ７及び冷却装置８を別途設置する必要がなく、ボトル飲料サーバー自体を小型とすることができる。
【００５１】
ビールサーバーＢは、ポンプ７及び冷却装置８の他、ビールが流通するビール通路Ｂ１と、ビール通路Ｂ１に連通するビール注出ノズルＢ２と、を備える。
そして、ビール通路Ｂ１が、冷却装置８により冷却されているので、ビール通路Ｂ１を流通するビールは十分に冷却され、ビール注出ノズルＢ２から注出されることになる。
これにより、ボトル飲料サーバーＡにおいては、ビールとボトル内の飲料の冷却を同時に行うことができるので、エネルギー効率が良く、十分に冷却されたビール及び飲料を提供できる。
【００５２】
以上、本発明の好適な実施形態について説明したが、本発明は上記実施形態に限定されるものではない。
【００５３】
実施形態のボトル飲料サーバーＡにおいては、筐体９の正面にペルチェ素子５の駆動を切り替えるスイッチや保冷庫４の温度を示す表示板等が設けられていてもよい。
ちなみに、ペルチェ素子５の稼働の有無を切り替えることにより、飲料Ｄを３〜１０℃の範囲で任意の温度に冷却することが可能である。
【００５４】
冷却装置８及びポンプ７を収容するのはビールサーバーＢに限られず、冷却装置及び冷却水Ｗの循環機構を備える各種の機器を利用可能である。
【００５５】
アダプタ２は一体に設けられてもよい。
また、ボトル１内に炭酸ガスを供給しない構成としてもよい。
保冷庫４を水平に保持し、保冷庫４に挿入される飲料管の先端が下向きに屈曲している構成としてもよい。
【００５６】
図６は、他の実施形態に係るボトル飲料サーバーＡの正面図を示す。
筐体９の形状は、上述の構成を収容できるものであれば任意である。
また、注出ノズル３や保冷庫４の組み合わせを複数備え、多種の飲料Ｄを提供する構成とすることもできる。
この場合、冷却管６の途中に切り替え装置を設けることにより、その時利用している保冷庫４のみを冷却する構成とすることで、冷却の効率を高めることができる。
【００５７】
ボトル１には、ＰＥＴボトルの他、金属缶等も利用できる。
【産業上の利用可能性】
【００５８】
本発明のボトル飲料サーバーＡは、コンパクトさ及び携帯性に優れ、不要時には容易に撤去することが可能であることにより、飲料Ｄを提供する場合に広く用いられ得るものである。
【符号の説明】
【００５９】
Ａ・・・ボトル飲料サーバー
１・・・ボトル
２・・・アダプタ
２１・・・第１アダプタ
２１ａ・・・第１基部
２１ｂ・・・大径穴部
２１ｃ・・・小径穴部
２２・・・第２アダプタ
２２ａ・・・第２基部
２２ｂ・・・大リブ
２２ｃ・・・小リブ
２２ｄ・・・周縁部
２３・・・飲料用貫通孔
２４・・・留め具
２５・・・ガス用貫通孔
３・・・注出ノズル
４・・・保冷庫
５・・・ペルチェ素子
５Ａ・・・ヒートシンク
６・・・冷却管
７・・・ポンプ
８・・・冷却装置
８ａ・・・水槽
８ｂ・・・冷媒管
９・・・筐体
１０・・・支持部
１１・・・支持板
１２・・・導入口
１３・・・排出口
１４・・・ファン
１５・・・ガス供給管
Ｗ・・・冷却水
Ｂ・・・ビールサーバー
Ｂ１・・・ビール通路
Ｂ２・・・ビール注出ノズル
【図１】
2019094120.tif 000003
【図２】
2019094120.tif 000004
【図３】
2019094120.tif 000005
【図４】
2019094120.tif 000006
【図５】
2019094120.tif 000007
【図６】
2019094120.tif 000008